(57)【要約】【課題】コストの上昇や、生産の負荷が抑えられ、しかも、セキュリティ性の高いスクラッチカードを提供する。【解決手段】スクラッチカード１０は、最下層に配置されるカード本体１１と、秘密情報が印字される印字情報層１２と、スクラッチ層１４の削り取りを容易にする剥離層１３と、コイン等で削り取ることが可能なスクラッチ層１４と、スクラッチ層１４及び隠蔽層１６を接着する接着層１５と、カーボンフリーインキや、非導電性インキによって形成され、下地の隠蔽性を高めるための暗色系の隠蔽層１６と、ホログラム層１８のホログラム性能を確保するための蒸着層１７と、ホログラム画像が記録されたホログラム層１８と、ホログラム層１８を保護するＯＰ層１９と、上側に設けられる基材層の剥離を容易にする剥離層２０等とを備え、下から、この順に積層されている。【選択図】図１
2005305844.tif 000002
【特許請求の範囲】
【請求項１】
基材と、
前記基材上に設けられた秘密情報層と、
前記秘密情報層を覆うように設けられ、削り取ることが可能なスクラッチ層と、
前記スクラッチ層の上側に設けられ、下地の隠蔽性を高める隠蔽層と、
を備えるスクラッチカード。
【請求項２】
請求項１に記載のスクラッチカードにおいて、
前記隠蔽層の上側に設けられ、ホログラム画像が記録されるホログラム層、及び／又は、光の干渉を起こす回折格子層を備えること、
を特徴とするスクラッチカード。
【請求項３】
請求項１又は請求項２に記載のスクラッチカードにおいて、
前記隠蔽層は、暗色系の着色層であること、
を特徴とするスクラッチカード。
【請求項４】
請求項３に記載のスクラッチカードにおいて、
前記着色層は、炭素が含まれない非炭素インキ、及び／又は、導電性を有さない非導電性インキによって形成されていること、
を特徴とするスクラッチカード。
【発明の詳細な説明】
【技術分野】
【０００１】
本発明は、スクラッチ層を有するスクラッチカードに関するものである。
【背景技術】
【０００２】
従来より、秘密情報（文字データ、画像、コード、マーク等）の上部に、脆弱に形成されたスクラッチ層を設け、このスクラッチ層をコイン等で擦ることにより除去して、秘密情報を目視する、いわゆるスクラッチカードが知られている（例えば、特許文献１，２）。
【０００３】
この種のスクラッチカードは、例えば、宝くじカード、抽選くじカード、プリペイドカードとして使用されており、くじ結果や個人情報等を隠蔽するためにスクラッチ層が設けられている。
このスクラッチカードのセキュリティ性を高めるために、スクラッチ層の上側にホログラムを形成したものがある。
【０００４】
しかし、ホログラムは、ホログラム効果を増大させるため、下層にアルミニウム（ＡＬ）の蒸着層を備えているが、この蒸着層はきわめて薄く、また、ホログラムは通常無色であるので、ホログラムをスクラッチ層へ転写するだけでは、偽造防止効果は高まるものの、秘密情報を高度に隠蔽することができなかった。
【０００５】
したがって、現状は、隠蔽性の高い基材を選定する、２度刷りによってスクラッチ層を厚くする、スクラッチ層に隠蔽性の高いインキを混合する、下地の印刷絵柄を工夫する等の対策により、隠蔽性を確保しているが、工程が増加することにより生産の負荷が大きくなるうえ、コストも上昇してしまうという問題があった。
【特許文献１】実開平６−４２２２９号公報
【特許文献２】特開２００３−７２２６８号公報
【発明の開示】
【発明が解決しようとする課題】
【０００６】
本発明の課題は、コストの上昇や、生産の負荷が抑えられ、しかも、セキュリティ性の高いスクラッチカードを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、基材（１１）と、前記基材（１１）上に設けられた秘密情報層（１２）と、前記秘密情報層（１２）を覆うように設けられ、削り取ることが可能なスクラッチ層（１４）と、前記スクラッチ層（１４）の上側に設けられ、下地の隠蔽性を高める隠蔽層（１６）と、を備えるスクラッチカードである。
【０００８】
請求項２の発明は、請求項１に記載のスクラッチカードにおいて、前記隠蔽層（１６）の上側に設けられ、ホログラム画像が記録されるホログラム層（１８）、及び／又は、光の干渉を起こす回折格子層を備えること、を特徴とするスクラッチカードである。
【０００９】
請求項３の発明は、請求項１又は請求項２に記載のスクラッチカードにおいて、前記隠蔽層（１６）は、暗色系の着色層であること、を特徴とするスクラッチカードである。
【００１０】
請求項４の発明は、請求項３に記載のスクラッチカードにおいて、前記着色層は、炭素が含まれない非炭素インキ、及び／又は、導電性を有さない非導電性インキによって形成されていること、を特徴とするスクラッチカードである。
【発明の効果】
【００１１】
本発明によれば、スクラッチ層の上側に、隠蔽層を設けたので、スクラッチ層の下側の秘密情報層の隠蔽性が高まり、セキュリティ性が向上する。
【００１２】
また、隠蔽層の上側に、ホログラム層及び／又は回折格子層を備えるので、隠蔽層とホログラム層及び／又は回折格子層とが組み合わさり、相乗的にセキュリティ性を高めることができる。
【００１３】
さらに、隠蔽層は、暗色系の着色層であるので、秘密情報層の隠蔽性がより高められ、しかも、低コストで、かつ、容易に製造でき、生産の負荷も抑えられる。
【００１４】
さらにまた、着色層は、非炭素材料及び／又は非導電性インキによって形成されているので、蒸着層の電食（電気化学作用により金属が腐食する現象）を防止することができ、耐久性も向上する。
【発明を実施するための最良の形態】
【００１５】
本発明は、コストの上昇や、生産の負荷が抑えられ、しかも、セキュリティ性の高いスクラッチカードを提供するという目的を、スクラッチ層の上側に、カーボンフリーインキや非導電性インキで作製された暗色系の墨インキを塗工することにより実現する。
【実施例】
【００１６】
以下、図面等を参照して、本発明の実施例について、さらに詳しく説明する。
図１は、本発明によるスクラッチカードの実施例を模式的に示す断面図である。
本実施例のスクラッチカード１０は、カード本体１１と、印字情報層１２と、剥離層１３と、スクラッチ層１４と、接着層１５と、隠蔽層１６と、蒸着層１７と、ホログラム層１８と、ＯＰ層１９と、剥離層２０等とを備え、下から、この順に積層されている。
また、このスクラッチカード１０は、例えば、宝くじカード、抽選くじカード、スピードくじカード、通信関係のプリペイドカード、秘密情報が隠蔽されたカード等に利用される。
【００１７】
カード本体１１は、このスクラッチカード１０の最下層に配置される基材であり、例えば、紙やプラスチック（ポリエチレンテレフタレート（ＰＥＴ）、塩化ビニル、）、植物を原料として用いた植物由来フィルム等である。
【００１８】
印字情報層１２は、秘密情報が印字された層であり、例えば、くじの当否、くじの番号、個人情報、シリアルナンバー、可変ナンバー、文字データ、画像、コード、マーク等である。
【００１９】
剥離層１３は、スクラッチ層１４の削り取りを容易にするための層であり、シリコン系の剥離インキによって形成される。
【００２０】
スクラッチ層１４は、剥離層１３の下側の印字情報層１２を覆うように設けられ、コイン等で削り取ることが可能な層である。
【００２１】
接着層１５は、スクラッチ層１４と隠蔽層１６とを接着する層であり、例えば、ゴム系粘着剤、アクリル系粘着剤等である。
【００２２】
隠蔽層１６は、下地（印字情報層１２）の隠蔽性を高めるための層であり、例えば、墨インキ等の暗色系の着色層である。
この着色層は、炭素が含まれない非炭素インキであるカーボンフリーインキの藍、黄、紅を混色したものや、導電性を有さない非導電性インキによって形成される。
また、隠蔽層１６の厚みは、隠蔽性を十分に確保するため、０．５〜５．０μｍ程度が好ましい。
【００２３】
蒸着層１７は、ホログラム層１８のホログラム性能（輝度や意匠性）を確保するためのものであり、屈折率の高いＡＬ等が薄膜状に形成されている。
【００２４】
ホログラム層１８は、白色光で再生できる２次元又は３次元画像をホログラム画像（絵柄）として記録したものであり、ホログラム画像のレリーフ面（凹凸模様）が下面に形成された樹脂の層である。
この樹脂の材質としては、熱可塑性樹脂、熱硬化性樹脂又はそれらの混合物を用いることができる。
【００２５】
ＯＰ層１９は、下側のホログラム層１８を保護する層である。
剥離層２０は、剥離層２０の上側に設けられるＰＥＴの基材層２１（不図示）の剥離を容易にするための層である。
【００２６】
次に、本実施例のスクラッチカード１０の製造方法について説明する。
図２は、カード部及びホログラム箔を模式的に示す断面図である。
スクラッチカード１０は、まず、カード部１０−１を製造し、ついで、ホログラム箔１０−２を製造し、最後に、ホログラム箔１０−２をカード部１０−１に転写することによって製造される。
【００２７】
（カード部１０−１の製造工程）
（１）カード本体１１を用意する。
（２）インクジェット等のプリンタを用いて、カード本体１１に秘密情報を印字し、印字情報層１２を形成する。
（３）その印字情報層１２の上側に、シリコン系の剥離インキを塗工し、剥離層１３を形成する。なお、スクラッチ時の印字情報層１２の保護を強化するため、剥離層１３の下側に、ＯＰ印刷によってＯＰ層（保護層）を設けてもよい。
（４）剥離層１３の上側に、スクラッチインキを塗工し、スクラッチ層１４を形成する。
【００２８】
（ホログラム箔１０−２の製造工程）
（１）基材層２１を用意する。
（２）基材層２１の上側に、シリコン系の剥離インキを塗工し、剥離層２０を形成する。
（３）剥離層２０の上側に、ＯＰ層１９を形成する。
（４）ＯＰ層１９の上側に、コーティング方式等によってホログラム層１８用の樹脂を塗工する。
（５）塗工した樹脂に、模様等が刻まれたロールを加熱しながら押しつけて凹凸模様をつけるエンボス加工を施してレリーフ面を形成し、ホログラム層１８を形成する。
（６）金属蒸着によって、ホログラム層１８の上側に蒸着層１７を形成する。
（７）コーターを用いて、蒸着層１７の上側に、墨インキを塗工し、隠蔽層１６を形成する。
（８）隠蔽層１６の上側に、接着層１５用の接着剤を塗工する。
【００２９】
（スクラッチカード１０の製造工程）
カード部１０−１のスクラッチ層１４と、ホログラム箔１０−２の接着層１５とを貼り合わせ、ヒートシールで加熱しながらプレスする。
【００３０】
このようにして、カード部１０−１に、ホログラム箔１０−２を転写したら、最表層の基材層２１を剥離し、スクラッチカード１０が完成する（図１参照）。
【００３１】
このように、本実施例によれば、スクラッチ層１４の上側に、墨インキ等の隠蔽層１６を設けたので、スクラッチ層１４の１度刷りでも高度の隠蔽性が確保でき、また、従来の対策として行われていたスクラッチ層１４の２度刷り等と比較しても、格段にコストを低下させることができる。
【００３２】
また、隠蔽層１６の上側に、ホログラム層１８を設けたので、偽造防止効果のあるホログラム層１８と、隠蔽効果のある隠蔽層１６とが組み合わさり、相乗的にセキュリティ性を高めることができる。
【００３３】
さらに、隠蔽層１６にカーボンフリーインキや非導電性インキを使用したので、カード本体１１側から蒸着層１７への通電がなくなり、蒸着層１７の電食を防止することができる。
これにより、人工汗液等のカード物性評価テストや、多湿環境保管下での使用であっても、蒸着層１７の電食は発生しなかった。
【００３４】
（変形例）
以上説明した実施例に限定されることなく、種々の変形や変更が可能であって、それらも本発明の均等の範囲内である。
（１）隠蔽層１６の上側に、ホログラムを設ける例で説明したが、ホログラムを設けない通常のスクラッチカードとして利用してもよい。
（２）ホログラムの例で説明したが、光の干渉を起こす回折格子でもよい。
（３）金属蒸着で形成された蒸着層１７の例で説明したが、他の薄膜成形法で形成された金属層であってもよい。
【００３５】
（４）従来の対策（隠蔽性の高い基材を選定する、２度刷りによってスクラッチ層を厚くする、スクラッチ層に隠蔽性の高いインキを混合する、下地の印刷絵柄を工夫する等）と、上述した実施例の隠蔽層１６とを組み合わせて用いてもよい。このようにすれば、より高度な隠蔽性、セキュリティ性を得ることができる。
（５）接着層１５に、隠蔽層１６で使用する材料を混合してもよい。このようにすれば、隠蔽層１６を省くことができる。
（６）着色層は、非炭素インキや、非導電性インキによって形成する例で説明したが、カード物性がそれほど要求されない場合には、炭素を含むインキや、導電性インキを用いてもよい。
【図面の簡単な説明】
【００３６】
【図１】本発明によるスクラッチカードの実施例を模式的に示す断面図である。
【図２】カード部及びホログラム箔を模式的に示す断面図である。
【符号の説明】
【００３７】
１０  スクラッチカード
１０−１  カード部
１０−２  ホログラム箔
１１  カード本体
１２  印字情報層
１３  剥離層
１４  スクラッチ層
１５  接着層
１６  隠蔽層
１７  蒸着層
１８  ホログラム層
１９  ＯＰ層
２０  剥離層
２１  基材層
【図１】
2005305844.tif 000003
【図２】
2005305844.tif 000004